(57)【要約】【課題】  ダンスは金がかかる。金持ちの道楽だ。というイメージが強い。【解決手段】  外国では８０歳になってもダンスを生活に取り入れている人は多い。ダンスは見せびらかすものでなく、楽しく筋肉に刺激を与えて健康を維持していく有効な手段であるという考えが広がれば流れは変わる。この発明が１年でダンスの中級者を費用をかけずに量産するきっかけになれば幸いである。【選択図】図３
2018155721.tif 000002
【特許請求の範囲】
【請求項１】
着地時の足裏の加圧部位の推移および加圧の強度を検出するために、靴底に圧電素子と、センサーと、電源装置を配設することを特徴とするステップ圧力検出手段。
【請求項２】
前記圧電素子が、トウ、ボウル、ヒール、ビッグトウの４部位（両足で８部位）に配設されるユニットである請求項１記載のステップ圧力検出手段。
【請求項３】
前記センサーが、前記８部位に配設された前記圧電素子にそれぞれ対応して配設されるユニットである請求項１記載のステップ圧力検出手段。
【請求項４】
パソコンのＯＳ上に設置され、体重等ファイルと、音楽ファイルと、画像ファイル１と、画像ファイル２と、受験者ステップ圧力推移表示プログラムと、ステップ圧力変化データ採取プログラムとを備え、前記ステップ圧力検出手段から受信したデータでダンスステップ圧力推移表示を作図することを特徴とする作図アプリケーションソフトウエア。
【請求項５】
前記体重等ファイルが、前記受験者の体重データを前記ステップ圧力変化データ採取プログラムに送信するとともに、ダンスのジャンル別、級別に分類された音楽メニューを保持するサブシステムである請求項４記載の作図アプリケーションソフトウエア。
【請求項６】
前記音楽ファイルが、前記音楽メニューの楽譜と演奏データを保持するサブシステムである請求項４記載の作図アプリケーションソフトウエア。
【請求項７】
前記ステップ圧力変化データ採取プログラムが、前記ステップ圧力検出手段から受信したデータを前記体重等ファイルから受信した前記受験者体重の倍数に変換するサブシステムである請求項４記載の作図アプリケーションソフトウエア。
【請求項８】
前記画像ファイル１が、前記音楽メニューそれぞれに合わせてインストラクターが踏んだ手本ステップ圧力推移表示を保持するサブシステムである請求項４記載の作図アプリケーションソフトウエア。
【請求項９】
前記受験者ステップ圧力推移表示プログラムが、受験者のステップ圧力推移表示を作図するサブシステムである請求項４記載の作図アプリケーションソフトウエア。
【請求項１０】
前記画像ファイル２が、前記手本ステップ圧力推移表示と受験者ステップ圧力推移表示を重複作図するサブシステムである請求項４記載の作図アプリケーションソフトウエア。
【発明の詳細な説明】
【技術分野】
【０００１】    本発明は、これまで運動技術の習得は「見て盗む」方法を基本としてきたが今ここに運動のメカニズムを探知する装置と方法を提供して、右脳だけでなく左脳も使って技術を修得することに関するものである。
【背景技術】
【０００２】    ホモサピエンスが２０万年超前に猿から分岐して二足歩行を始め、手が自由に使えるようになり、他の動物と戦うときに槍を使うことになった。
激しく動き回る戦いの中で相手の急所にやりを命中させるには、頭の上下左右の動きのない足運びが有利である。
ダンスの指導で「頭の動きはカームでなければなりません。上下に動かしてはなりません。」「ヒールの音をたててはいけません。」と指導しているが、戦いの動きも、ダンスの動きも狙いとするところは同じで、目標に目線を固定して動き続けることが要求されているのである。
しかしその指導が運動のメカニズムまで問題を掘り下げたものではないので、対病療法となってしまい動きの是正は遅々として進まない。
問題を正確に掴むことが解決の早道であるのに、そのことが認識されていない。
【先行技術文献】
【特許文献】
【０００３】
【特許文献１】特願平０３−３５１８３９号  公報
【発明の概要】
【発明が解決しようとする課題】
【０００４】数年の修行の後開業するのが常識のパン屋さんで「私は５日間の修行で開業できました。」という話があり聞いてみると、製造の段階ごとにクリアしなければならないポイントがあり、それを数値で著した「手引書」があったということでした。
現在ダンスの世界では人の動きを見て覚える体制をとっているため上級者になるためには多大の時間と費用を費やしています。
これでは、バブル崩壊後の社会においてダンス界が衰退するのは必定で、パン製造のように、第１次発酵の温度と時間はコレコレですというような段階ごとのポイントを感覚でなく数値で示す態勢を導入すれば現在より効率的な向上の道が拓ける。
【課題を解決するための手段】
【０００５】    本発明は、靴底に設置したセンサーで検出した足底の接地圧力のデータを可視化して、ダンスのフィジカルな基礎能力を判定し、動きの質をレベルアップするための筋肉強化のプログラムを作成する根拠資料を提示する。【０００６】    第２の解決手段は、手本となるステップ圧力推移表示図を提示して、足裏８部位の加圧の強さおよび変遷からステップのメカニズムを分析し、前記筋肉強化に合わせてその筋肉をコントロールする脳内の神経細胞の拡充を計画する。【０００７】    第１の解決手段の運用は次の通りである。すなわち骨格筋は身体に６００セット備わっており、これらは約２ヶ月の新陳代謝で全てが新しい筋線維に置き換わる。
この間拡大再生産を企図する場合筋肉に強い刺激（アスリートの場合は筋線維の一部が切断する程度の負荷をかけている）を与えれば、待機している衛星細胞が筋線維になる確率は高まる。
しかし、競技に勝ち抜くことを使命としない人が健康増進を目標とする場合は、疼痛で運動を中断せざるを得ないほどの負荷はメリットよりもデメリットの方が大きく、そのダメージがメンタルにも及び目標追求を放棄することにもなりかねない。
逆に刺激が弱ければ筋肉の強化は遅々としたものになり、今度はモチベーションを下げてしまい、ダンスの世界から離れていってしまう。
受験者に筋肉の強度の現状を納得させ、その状況に見合った筋肉メンテナンスの当面の目標を数値で示すことができれば着実な向上が達成され脱落を防げる。
「一歩一歩的往前走」が着実な成長をもたらし、その成長の自覚がモチベーションの維持に繋がる。【０００８】    第２の課題解決手段の運用は次の通りである。すなわち表示されている圧力の推移から逆探知して、筋肉の動きのメカニズムを推定する。
受験者に運動のメカニズムを説明するときに、比較できるインストラクターの踏んだ手本となるステップ圧力の推移の図があれば説明が容易になる。【０００９】    次に、サルサオンワンの女性の前後のベーシックの３拍目のステップを例に説明する。
ア  左僧帽筋を作動させて左肩甲骨を伸展・挙上させる。
イ  上記動きに連動して左大胸筋が左肋骨を左へ回旋する。
ウ  左肋骨を起始とする左外腹斜筋が右内腹斜筋に連携し停止となる右腸骨稜前突起を左  上へ引き上げる。
エ  上記動きに連動して右大腿部は大腿筋膜張筋の作用と相俟って持ち上げられるととも  に内旋する。この際膝間接から下を脱力しておけば足首は垂直の状態（整形外科学会で  は屈曲という）となり、足先は内返しの状態になり、トウが最も地面に近い。
オ  上記の場合ビッグトウは身体の中心線の位置にあり、ここに体重を乗せていけば、前  進の際身体の中心線は左右にぶれない。
カ  足の踏み込みのプレアクションが終わったとき、運動神経の命令が来る前に足弓の受  動的安定化機構（反発）が始まり内返しの状態で一番下にあるトウから着地が始まる。  着地場所の安全性を確認しながらの加重の動きはホモサピエンス２０万年超の進化の結  果である。
キ  能動的踏み込みの圧力は仙腸関節から下の関節が伸びることによって発生するが、た  だひとつ足首の関節の曲がり（整形外科学会では伸展）が関節の伸びによる頭の上昇の  動きを吸収する。このとき縦足弓のパワーが作用して加圧をまろやかにする。
ク  運動神経が作動すると、腰方形筋が右腸骨稜後突起を持ち上げ、大臀筋が股関節を伸  展させるとともに内旋していた大腿部を外旋させる。このとき足弓の受動的安定化機構  ですでに着地しているボウルを中心に仙腸関節から下が外旋する。
ケ  外旋の運動にはジャイロの原理が働き身体の直立をもたらす。
コ  動きの中で強く地面を踏んで垂直に立ち、晴眼で相手を見据えることが、敵を知り己  を知ることになり、百戦危うからずに繋がる。
上記に、ステップのメカニズムについて説明したが、そもそもダンスは神話（文字を持  たなかった時代の口頭伝承）の中にも登場し、その本質は、獲物を狩る能力を演練し、  またその能力の高さを異性にアピールすることであった。【００１０】    筋肉の整備に合わせてその筋肉を制御する脳の神経回路を拡充する必要があり、ダン  スで行われているアイソレーションの技法が、特定の筋肉を意識して作動させ、その部  分の筋肉と脳の整備に導く。
現在は、アイソレーションは奇異を演出するツールと位置づけている向きが多いが、  これこそが、眠っている筋肉の体系を目覚めさせ、ホモサピエンスが獲得した脳と筋肉  の活力を取り戻す究極のツールである。
人間の本能を呼び覚ますものとして武道があるが、危険の見積もりが不十分のため練  習中に死者を出している。
ダンスという安全で効率的に脳と筋肉を活性化できる文化を持った民族は強い。ダン  スの動きのメカニズムを分析し、技術の上達を導くのが第２の解決手段である。
【図面の簡単な説明】
【００１１】
【図１】  着地圧力検出装置と作図方法の全体系
【図２】  圧電素子およびセンサーの配設部位ならびに縦足弓の安定化機構
【図３】  圧電素子の配設部位ならびに横足弓の安定化機構
【図４】  画像ファイル１に保存されている手本ステップ圧力推移表示の一例
【発明を実施するための形態】
【００１２】  以下本発明の実施例を図１〜図４に基づいて説明する。
【００１３】  まず、図１は着地圧力検出手段と作図方法の全体系を示しステップ圧力検出手段（１ａ）と、作図アプリケーションソフトウエア（１ｆ）を持つ。
【００１４】  ステップ圧力検出手段（１ａ）は、圧電素子（１ｃ）とセンサー（１ｂ）で構成され検知したデータをパソコンに送信（ウ）する
【００１５】  圧電素子（１ｃ）は垂直方向と水平方向の圧力を検知し、センサー（１ｂ）に電圧を伝える（ア）
【００１６】  センサー（１ｂ）は、圧電素子（１ｃ）が発した電圧を増幅し、アナログからデジタルへの変換回路でキログラム単位（小数点以下四捨五入）の数値に変換し、前記８部位それぞれに垂直方向と水平方向の数値を合算して得られたデータをパソコンのインターフェイス信号に変換して送信（ウ）する
【００１７】  作図アプリケーションソフトウエア（１ｆ）は、ステップ圧力検出手段（１ａ）から受信したデータと自らのサブシステムに保存しているデータでステップ圧力推移表示図を作成する。
【００１８】  体重等ファイル（１ｇ）は、受験者の体重データをステップ圧力変化データ採取プログラムに送信するとともに、受験者が選択した曲名を、前記音楽ファイル（１ｈ）と前記画像ファイル１（１ｉ）に送信する
【００１９】  音楽ファイル（１ｈ）は、体重等ファイル（１ｇ）から受信した曲名の音楽をスピーカー（１ｎ）で受験者に聞かせるとともに、その曲名の音楽のリズムデータと音楽開始時刻をパソコン内の時計データと吻合して受験者ステップ圧力推移表示プログラム（１ｋ）に送信（ク）する
【００２０】  ステップ圧力変化データ採取プログラム（１ｍ）は、有用なのは体重の何倍の力が作用したかということであるから、ステップ圧力検出手段（１ａ）から受信（ウ）したデータを体重の倍数（小数点以下３桁四捨五入）に変換してパソコン内の時計データと吻合して受験者ステップ圧力推移表示プログラム（１ｋ）に送信（コ）する。
【００２１】  画像ファイル１（１ｉ）は、体重等ファイル（１ｇ）から受信した曲名にマッチングできる手本ステップ圧力推移表示を選び出し、横軸目盛と縦軸目盛のデータを受験者ステップ圧力推移表示プログラム（１ｋ）に送信（キ）するとともに、前記音楽ファイル（１ｈ）から受信した開始時刻を吻合して画像ファイル２（１ｊ）に送信（オ）する
【００２２】    受験者ステップ圧力推移表示プログラム（１ｋ）は、画像ファイル１（１ｉ）から受信（キ）した横軸目盛と縦軸目盛に音楽ファイル（１ｈ）から受信（ク）した音楽開始時刻と吻合されたリズムデータと併合して、ステップ圧力変化データ採取プログラム（１ｍ）から受信（コ）したデータを横軸目盛と縦軸目盛の該当箇所にプロットして受験者ステップ圧力推移表示を作図し、画像ファイル２（１ｊ）に送信する。
【００２３】    画像ファイル２（１ｊ）は、画像ファイル１（１ｉ）から受信（オ）した手本ステップ圧力推移表示と、受験者ステップ推移表示プログラム（１ｋ）から受信した受験者ステップ圧力推移表示とを重複して作図し、パソコンのディスプレイ（１ｏ）に送信する。
【００２４】    図２は、右足を横から見た断面図で、骨と筋（２ｋ，２ｌ）と腱（２ｉ、２ｊ）と腱膜（２ｃ）と靭帯（２ｆ）と皮下組織（２ｇ）を表現した図の上に圧電素子（２ａ，２ｂ，２ｈ）とセンサー・電源装置（２ｅ）の配設部位を示している。
圧電素子の配設は受験者個人の足裏の特性に合わせて配設する必要があるため工場でいくつかのパターンを想定して製作するのでなく現場で調整して配設できるフレキシブルなほうがよい。
センサー・電源装置は圧力の加わらない部位に配設するが、万一装着したあと大きな力が加わっても部品が破損しないように防壁の処置を施す必要がある。
電源装置は、電池の交換が可能で、オン・オフの機能を持つ。
圧電素子は縦足弓の安定化機構（反発）の機能の状況を検知するために配設するが、ステップの種類により、受動的安定化機構だけ作用する場合や、能動的安定化機構（足弓であるから力を溜め込む段階と一挙に放出する段階がある）が作用する場合がある。
ステップ圧力推移表示はこの足弓の機能を探知するのが目的である。
【００２５】    図３は、右足を下から見た図であり、骨と筋（３ａ、３ｂ）と靭帯（３ｄ）を表現した図の上に圧電素子（２ａ，２ｂ，２ｈ，３ｃ）を配設する部位を示している。
靭帯は横足弓の受動的安定化機構の機能を有している。
圧電素子は横足弓の機能の状況を検知するために配設するが、着地の初期に横足弓を使う場合とそうでない場合は、単に着地の安定性に影響するだけでなく、次の出力をマイナスから始めるのでなくゼロから始めるという意味で出力を増大させる。
横足弓は横の動きのときに主役になるが、縦足弓の出力も合わせてベクトルが生じるので出力の組み合わせは複雑になる。
【００２６】    図４は、手本ステップ圧力推移の一例である
（４ａ，４ｂ，４ｃ，４ｄ，４ｅ）が拍子単位の横目盛で１００分の１秒単位の精度を持つ。（４ｏ，４ｐ，４ｑ，４ｒ）が体重単位の縦目盛で体重の１００分の１単位の精度を持つ。（右足４ｆ，４ｇ，４ｈ，４ｉ，左足４ｊ，４ｋ，４ｌ，４ｍ）の圧力の推移（４ｎ他の目盛内も同じ）から筋肉の作動状況を読み解く。
【符号の説明】
【００２７】１ａ  ステップ圧力検出手段
１ｂ  センサー
１ｃ  圧電素子
１ｄ  パソコン
１ｅ  ＯＳ
１ｆ  アプリケーションソフトウエア
１ｇ  体重等ファイル
１ｈ  音楽ファイル
１ｉ  画像ファイル１
１ｊ  画像ファイル２
１ｋ  受験者ステップ圧力推移表示プログラム
１ｌ  処理装置
１ｍ  ステップ圧力変化データ採取プログラム
１ｎ  スピーカー
１ｏ  ディスプレイ
２ａ  ビッグトウ圧電素子配設部位
２ｂ  ボウル圧電素子配設部位
２ｃ  足底腱膜
２ｄ  短足筋群
２ｅ  センサー配設部位
２ｆ  長足底靭帯
２ｇ  皮下組織
２ｈ  ヒール圧電素子配設部位
２ｉ  長母趾屈筋腱
２ｊ  長趾屈筋腱
２ｋ  長母趾屈筋
２ｌ  長趾屈筋
３ａ  母趾内転筋横頭
３ｂ  母趾内転筋斜頭
３ｃ  トウ圧電素子配設部位
３ｄ  深横中足靭帯・足底靭帯
４ａ  ３拍目
４ｂ  ４拍目
４ｃ  ５拍目
４ｄ  ６拍目
４ｅ  ７拍目
４ｆ  右トウ圧力推移表示図
４ｇ  右ボウル推移表示図
４ｈ  右ヒール推移表示図
４ｉ  右ビッグトウ推移表示図
４ｊ  左トウ推移表示図
４ｋ  左ボウル推移表示図
４ｌ  左ヒール推移表示図
４ｍ  左ビッグトウ推移表示図
４ｎ  圧力推移状況
【図１】
2018155721.tif 000003
【図２】
2018155721.tif 000004
【図３】
2018155721.tif 000005
【図４】
2018155721.tif 000006